(57)【特許請求の範囲】
【請求項１】
２つの日車を含むカレンダ機構付き時計において、
日付のうちの一の位を表示する第一日車（５５２）と、
第一日車（５５２）の回転方向の位置を規正するための第一日ジャンパ（５１４）と、
日付のうちの十の位を表示する第二日車（５６２）と、
第二日車（５６２）の回転方向の位置を規正するための第二日ジャンパ（５２４）と、
第一日車（５５２）の回転に基づいて回転して第二日車（５６２）を回転させることができる日中間車（５３０）とを備え、
日中間車（５３０）は、日車押え（５０２）に固定された日中間車ピン（５３４）に対して回転可能に設けられ、日中間車（５３０）は、外歯として形成された日中間歯（５３０ａ）を含んでおり、第一日車（５５２）の回転により日中間歯（５３０ａ）を回転させ、日中間歯（５３０ｅ）が第二日車（５６２）を回転させることができるように構成されており、
第一日車（５５２）は、「１」、「１」、「２」、「３」、「４」、「５」、「６」、「７」、「８」、「９」、「０」、「１」、「２」、「３」、「４」、「５」、「６」、「７」、「８」、「９」、「０」、「１」、「２」、「３」、「４」、「５」、「６」、「７」、「８」、「９」、「０」の３１個の数字を含む第一日文字表示面（５５２ｆ）を有し、
第二日車（５６２）は、「１」、「２」、「３」、「０」の数字を含む第二日文字表示面（５６２ｆ）、又は、「１」、「２」、「３」の数字を含む第二日文字表示面（５６２ｆ）を有しており、
第一日車（５５２）の回転中心と、第二日車（５６２）の回転中心は同一の位置にあるように配置されており、
第二日文字表示面（５６２ｆ）は、第一日文字表示面（５５２ｆ）よりも文字板（４０４）に近い位置に配置されており、
第一日車（５５２）は、内歯として形成された３１個の第一日車歯部（５１６）と、内歯として形成された４個のカレンダ桁送り歯（５１８ａ〜５１８ｄ）とを含み、第一日車歯部（５１６）は、等しい角度の間隔で形成され、カレンダ桁送り歯（５１８ａ〜５１８ｄ）は、基準となる第１カレンダ桁送り歯（５１８ａ）と、第１カレンダ桁送り歯（５１８ａ）を基準として、第１の方向に（３６０＊２／３１）度の間隔で形成された第２カレンダ桁送り歯（５１８ｂ）と、第２カレンダ桁送り歯（５１８ｂ）を基準として、前記第１の方向に（３６０＊９／３１）度の間隔で形成された第３カレンダ桁送り歯（５１８ｃ）と、第１カレンダ桁送り歯（５１８ａ）を基準として、前記第１の方向と反対の第２の方向に（３６０＊１０／３１）度の間隔で形成された第４カレンダ桁送り歯（５１８ｄ）とからなり、
前記日中間車（５３０）は、前記第一日車（５５２）のカレンダ桁送り歯（５１８ａ〜５１８ｄ）が回転することにより回転して、前記第二日車（５６２）を回転させるように構成されており、
第二日車（５６２）は、切り欠きを設けた円盤形状の第二日文字表示面（５６２ｆ）を備え、第二日文字表示面（５６２ｆ）は、（３６０／１２）度の間隔で形成された１２個の台形部分（５６２ｊ）と、（３６０／１２）度の間隔で形成された１２個の切り欠き部（５６２ｋ）とを含み、第二日文字表示面（５６２ｆ）には、「１」の数字と、「２」の数字と、「３」の数字と、「０」の数字からなる数字の組が３組設けられており、
第二日車（５６２）は、外歯として形成された１２個の位置決め歯部（５２６）と、外歯として形成された１２個の送り歯（５２８）とを含み、位置決め歯部（５２６）は、等しい角度の間隔で形成され、送り歯（５２８）は、等しい角度の間隔で形成され、位置決め歯部（５２６）は第二日ジャンパ（５２４）により規正され、日中間車（５３０）は送り歯（５２８）と噛合うように構成されており、
さらに、１２時位置又は６時位置に日窓が形成された文字板を備え、
前記文字板の日窓の中の左側の部分には、第二日車の第二日文字表示面の数字のうちの１つが配置され、前記日窓の中の右側の部分には、第二日車の切り欠き部と、第一日車の第一日文字表示面の数字のうちの１つが配置されるように構成されている、
ことを特徴とするカレンダ機構付き時計。
【発明の詳細な説明】
【技術分野】
【０００１】
本発明は、日付のうちの一の位を表示する第一日車と、日付のうちの十の位を表示する第二日車とを含むカレンダ機構付き時計に関する。
【背景技術】
【０００２】
一般に、時計の駆動部分を含む機械体を「ムーブメント」と称する。ムーブメントに文字板、針を取り付けて、時計ケースの中に入れて完成品にした状態を時計の「コンプリート」と称する。時計の基板を構成する地板の両側のうちで、時計ケースのガラスのある方の側、すなわち、文字板のある方の側をムーブメントの「裏側」又は「ガラス側」又は「文字板側」と称する。地板の両側のうちで、時計ケースの裏蓋のある方の側、すなわち、文字板と反対の側をムーブメントの「表側」又は「裏蓋側」と称する。ムーブメントの「表側」に組み込まれる輪列を「表輪列」と称する。ムーブメントの「裏側」に組み込まれる輪列を「裏輪列」と称する。
【０００３】
以下に、日付のうちの一の位を表示する第一日車と、日付のうちの十の位を表示する第二日車とを含む従来のカレンダ機構付き時計の構成について説明する。
（１）従来の第一タイプのカレンダ機構付き時計
従来の第一タイプのカレンダ機構付き時計は、大型窓を有する文字盤と、１つの「１」の数字と、３組の「１」から「９」および「０」の数字を含む３１個の数字を配置し、かつ４本の歯を設けた１の位用回転体（すなわち、第一日車）を備え、さらに、４本の歯を有する１０の位用星形板と、「０」、「１」、「２」、「３」の数字を配置した１０の位用回転体（すなわち、第二日車）を備えている。１の位用回転体（すなわち、第一日車）が、直接、１０の位用回転体（すなわち、第二日車）を回転させている（例えば、特許文献１参照）。
【０００４】
（２）従来の第二タイプのカレンダ機構付き時計
従来の第二タイプのカレンダ機構付き時計は、日付の一の位を表示する第１日板（すなわち、第一日車）と、日付の十の位を表示する第２日板（すなわち、第二日車）と、第１日板を駆動する日送り車と、第１日板に設けられた送り爪と、送り爪に駆動される中間車と、第１日板を送り途中から回転させ安定位置に留める第１躍制レバーと、第２日板を送り途中から回転させ安定位置に留める第２躍制レバーとを含む。第１日板（すなわち、第一日車）には、２組の「１」から「９」および「０」の数字を含む２０個の数字が配置されている（例えば、特許文献２参照）。
【０００５】
（３）特許文献のリスト
以下に、上述した従来のカレンダ機構付き時計に関する特許文献のリストを示す。
【特許文献１】特許第３３９００２１号公報
【特許文献２】特開２０００−３１４７７９号公報
【発明の開示】
【発明が解決しようとする課題】
【０００６】
（１）従来の第一タイプのカレンダ機構付き時計の課題
従来の第一タイプのカレンダ機構付き時計は、「１」の数字と、３組の「１」から「９」および「０」の数字を含む３１個の数字を配置した１の位用回転体を備えているので、月末にカレンダ機構を修正しなければならない時は、２月、４月、６月、９月、１１月のそれぞれ月末である。すなわち、カレンダ機構を修正しなければならない回数は、年に５回である。しかしながら、従来の第一タイプのカレンダ機構付き時計では、１の位用回転体が、直接、１０の位用回転体を回転させるので、１の位用回転体と、１０の位用回転体とが同じ回転中心をもつように配置することができなかった。したがって、この構造では、２つの回転体を設計するとき、２つの回転体により日付を表示することができる位置に、制約が生じていた。
【０００７】
（２）従来の第二タイプのカレンダ機構付き時計の課題
従来の第二タイプのカレンダ機構付き時計では、第１日板には、２組の「０」、「１」〜「９」の数字、すなわち、２０個の数字が配置されている。したがって、月末にカレンダ機構を修正しなければならない時は、毎月のそれぞれ月末である。すなわち、カレンダ機構を修正しなければならない回数は、年に１２回である。
【０００８】
（３）発明の目的
本発明の目的は、日付のうちの一の位を表示する第一日車と、日付のうちの十の位を表示する第二日車とを含むカレンダ機構付き時計において、月末にカレンダ機構を修正しなければならない回数を増すことがない、操作性の良いカレンダ機構付き時計を提供することにある。
また、本発明の他の目的は、第一日車の回転中心と、第二日車の回転中心を同じ位置に配置して、デザインの制約が少ないカレンダ機構付き時計を提供することにある。
【課題を解決するための手段】
【０００９】
本発明は、２つの日車を含むカレンダ機構付き時計において、日付のうちの一の位を表示する第一日車と、第一日車の回転方向の位置を規正するための第一日ジャンパと、日付のうちの十の位を表示する第二日車と、第二日車の回転方向の位置を規正するための第二日ジャンパと、第一日車の回転に基づいて回転して第二日車を回転させることができる日中間車とを備えるように構成した。このカレンダ機構付き時計では、第一日車は、「１」、「１」、「２」、「３」、「４」、「５」、「６」、「７」、「８」、「９」、「０」、「１」、「２」、「３」、「４」、「５」、「６」、「７」、「８」、「９」、「０」、「１」、「２」、「３」、「４」、「５」、「６」、「７」、「８」、「９」、「０」の３１個の数字を含む第一日文字表示面を有し、第二日車は、「１」、「２」、「３」、「０」の数字を含む第二日文字表示面、又は、「１」、「２」、「３」の数字を含む第二日文字表示面を有することを特徴とする。この構成により、月末にカレンダ機構を修正しなければならない回数を増すことはない操作性の良いカレンダ機構付き時計を実現することができる。
【００１０】
本発明のカレンダ機構付き時計では、第一日車の回転中心と、第二日車の回転中心は同一の位置にあるように配置されるのが好ましい。この構成により、デザインの制約が少ないカレンダ機構付き時計を実現することができる。
さらに、本発明のカレンダ機構付き時計では、第二日文字表示面は、第一日文字表示面よりも文字板に近い位置に配置されるされるのが好ましい。この構成により、日付の表示が見やすく、かつ、デザインの制約が少ないカレンダ機構付き時計を実現することができる。
【００１１】
さらに、本発明のカレンダ機構付き時計では、第一日車は、内歯として形成された３１個の第一日車歯部と、内歯として形成された４個のカレンダ桁送り歯とを含み、第一日車歯部は、等しい角度の間隔で形成され、カレンダ桁送り歯は、基準となる第１カレンダ桁送り歯と、第１カレンダ桁送り歯を基準として、第１の方向（例えば、時計回り方向）に（３６０＊２／３１）度の間隔で形成された第２カレンダ桁送り歯と、第２カレンダ桁送り歯を基準として、前記第１の方向（例えば、時計回り方向）に（３６０＊９／３１）度の間隔で形成された第３カレンダ桁送り歯と、第１カレンダ桁送り歯を基準として、前記第１の方向と反対の第２の方向（例えば、反時計回り方向）に（３６０＊１０／３１）度の間隔で形成された第４カレンダ桁送り歯とからなり、日中間車は、第一日車のカレンダ桁送り歯が回転することにより回転して、第二日車を回転させるように構成されるのが好ましい。
【００１２】
さらに、本発明のカレンダ機構付き時計では、第二日車は、切り欠きを設けた円盤形状の第二日文字表示面を備え、第二日文字表示面は、（３６０／１２）度の間隔で形成された１２個の台形部分と、（３６０／１２）度の間隔で形成された１２個の切り欠き部とを含み、第二日文字表示面には、「１」の数字と、「２」の数字と、「３」の数字と、「０」の数字からなる数字の組が４組設けられるように構成されるのが好ましい。
さらに、本発明のカレンダ機構付き時計では、第二日車は、外歯として形成された１２個の位置決め歯部と、外歯として形成された１２個の送り歯とを含み、位置決め歯部は、等しい角度の間隔で形成され、送り歯は、等しい角度の間隔で形成され、位置決め歯部は第二日ジャンパにより規正され、日中間車は送り歯と噛合うように構成されるのが好ましい。この構成により、小型で薄型で、デザインの制約が少ないカレンダ機構付き時計を実現することができる。
【発明の効果】
【００１３】
本発明のカレンダ機構付き時計は、日付のうちの一の位を表示する第一日車と、日付のうちの十の位を表示する第二日車とを含み、月末にカレンダ機構を修正しなければならない回数を増すことなく、操作性がよい。また、本発明のカレンダ機構付き時計は、第一日車の回転中心と、第二日車の回転中心を同じ位置に配置することができるので、日車を配置する位置に関するデザイン上の制約が非常に少ない。すなわち、本発明により、日付表示の位置に自由度があるカレンダ機構付き時計を実現することができる。
【発明を実施するための最良の形態】
【００１４】
以下に、本発明のカレンダ機構付き時計の実施の形態を図面に基づいて説明する。
（１）本発明のカレンダ機構付き時計の第１の実施の形態の構造
最初に、本発明のカレンダ機構付き時計の第１の実施の形態について説明する。
（１・１）ムーブメントの全体構成
図１〜図３、図１９を参照すると、本発明のカレンダ機構付き時計の第１の実施の形態において、ムーブメント４００はアナログ電子時計で構成される。ムーブメント４００は、ムーブメント４００の基板を構成する地板４０２と、日車押え５０２とを含む。文字板４０４がムーブメント４００に取付けられる。文字板４０４はムーブメント４００のガラス側に取付けられる。ムーブメント４００において、「表側」とは、地板４０２の両面のうちで、文字板４０４から遠い方の側、すなわち、「裏蓋側」を示す。ムーブメント４００において、「裏側」とは、地板４０２の両面のうちで、文字板４０４に近い方の側、すなわち、「文字板側」を示す。日車押え５０２は、ムーブメント４００において、「裏側」に配置される。巻真４１０が、地板４０２に回転可能に組み込まれる。つづみ４７２が巻真４１０の回転軸線と同一の回転軸線を有するように配置される。切換装置・規正装置は、巻真４１０と、規正レバー４６８と、電池プラス端子６６２の巻真位置決め部６６２ｆとを含む。切換装置は、ムーブメント４００において、「表側」に配置される。切換装置は、ムーブメント４００において、「裏側」に配置することもできる。
【００１５】
（１・２）ムーブメントの表側の構成
以下に、ムーブメントの表側の構成について説明する。図２、図３、図１８を参照すると、ムーブメント４００において、時計の動力源を構成する電池４４０が、地板４０２の裏蓋側（表側）に配置される。時計の源振を構成する水晶ユニット６５０が地板４０２の裏蓋側に配置される。例えば、３２，７６８ヘルツで発振する水晶振動子が、水晶ユニット６５０に収容されている。水晶振動子の振動に基づいて基準信号を出力する発振部（オシレータ）６０２と、発振部６０２の出力信号を分周して、ステップモータの動作の制御を行う分周制御部６０４と、分周制御部６０４の出力信号に基づいてステップモータを駆動するモータ駆動信号を出力するモータ駆動部（ドライバ）６０６とが、集積回路（ＩＣ）６５４に内蔵されている。集積回路６５４は、例えば、Ｃ−ＭＯＳ又はＰＬＡで構成される。集積回路６５４をＣ−ＭＯＳで構成した場合には、発振部６０２と、分周制御部６０４と、モータ駆動部６０６とは、集積回路６５４に内蔵される。集積回路（ＩＣ）６５４をＰＬＡで構成した場合には、発振部６０２と、分周制御部６０４と、モータ駆動部６０６とは、ＰＬＡに記憶されているプログラムにより動作するように構成される。
【００１６】
水晶ユニット６５０と集積回路６５４とは回路基板６１０に固定される。回路基板６１０と、水晶ユニット６５０と、集積回路６５４とが回路ブロック６１２を構成する。回路ブロック６１２は、地板４０２の裏蓋側に配置される。さらに、本発明のカレンダ付き時計では、必要に応じて、抵抗、コンデンサ、コイル、ダイオードなどの外付け素子を用いることができる。電池マイナス端子６６０は、電池４４０の陰極と、回路基板６１０のマイナスパターンを導通させるために設けられる。電池プラス端子６６２は、電池４４０の陽極と、回路基板６１０のプラスパターンを導通させるために設けられる。磁心に巻いたコイルワイヤを含むコイルブロック６３０と、コイルブロック６３０の磁心の両端部分と接触するように配置されたステータ６３２と、ステータ６３２のロータ穴６３２ｃに配置されたロータ磁石６３４ｂを含むロータ６３４とが、地板４０２の裏蓋側に配置される。コイルブロック６３０と、ステータ６３２と、ロータ６３４とは、ステップモータを構成する。ロータ６３４の回転により、五番車４４１が回転するように構成される。五番車４４１の回転により、四番車４４２が回転するように構成される。四番車４４２の回転により、三番車４４４が回転するように構成される。三番車４４４の回転により、二番車４４６が回転するように構成される。二番車４４６の回転により、日の裏車４４８が回転するように構成される。日の裏車４４８の回転により、筒車４８０が回転するように構成される。
【００１７】
四番車４４２は１分間に１回転するように構成されている。秒針４６０が四番車４４２に取付けられる。二番車４４６は１時間に１回転するように構成される。分針４６２が二番車４４６に取付けられる。スリップ機構が二番車４４６に設けられる。スリップ機構により、針合わせをするときに、秒針４６０を停止させた状態で、巻真４１０を回転させることにより、分針４６２及び時針４６４を回転させることができる。巻真４１０を２段目に引き出して針合わせをするときに、五番車４４１の歯車部を規正して秒針４６０の回転を停止させるために、規正レバー４６８が設けられる。中心パイプ４０２ｃが地板４０２に固定される。中心パイプ４０２ｃは地板４０２の裏蓋側から地板４０２の文字板側に延びる。二番車４４６は、中心パイプ４０２ｃの穴部の中に回転可能に支持される。四番車４４２のそろばん玉は、二番車４４６の穴部の中に回転可能に支持される。輪列受４５８が、地板４０２の裏蓋側に配置される。ロータ６３４の上軸部、五番車４４１の上軸部、四番車４４２の上軸部、三番車４４４の上軸部、日の裏車４４８の上軸部は、輪列受４５８に回転可能に支持される。ロータ６３４の下軸部、五番車４４１の下軸部、三番車４４４の下軸部、日の裏車４４８の下軸部は、地板４０２に回転可能に支持される。
【００１８】
（１・３）時表示輪列の構成
以下に、時表示輪列の構成について説明する。図１、図３、図１８を参照すると、ムーブメント４００において、筒車４８０は筒歯車４８０ａと、日送り歯車４８０ｂとを含む。筒車４８０は１２時間に１回転するように構成される。時針４６４が筒車４８０に取付けられる。筒車４８０に取り付けた時針４６４により、１周が１２時間となる「１２時制」で「時」を表示する。
【００１９】
（１・４）切換機構、針合わせ機構の構成
以下に、切換機構、針合わせ機構の構成について説明する。図２および図１９を参照すると、ムーブメント４００において、巻真４１０が、地板４０２に回転可能に組み込まれる。巻真４１０は、先端側から順に形成された先端軸部４１０ａと、第１角部４１０ｂと、第１軸部４１０ｃと、規正作動軸部４１０ｄと、第２軸部４１０ｅと、第２角部４１０ｆと、第３軸部４１０ｇと、第１そろばん玉部４１０ｈと、第２そろばん玉部４１０ｊと、元軸部４１０ｋとを含む。巻真４１０の先端軸部４１０ａは、地板４０２の巻真先端穴に対して回転可能なように組み込まれる。巻真４１０の元軸部４１０ｋは、地板４０２の巻真元穴に対して回転可能なように組み込まれる。第１そろばん玉部４１０ｈの外径は、第２そろばん玉部４１０ｊの外径より大きいように構成するのがよい。
つづみ４７２が巻真４１０の回転軸線と同一の回転軸線を有するように配置される。巻真４１０が０段目および１段目にあるとき、つづみ車４７２の連動角穴が巻真４１０の第１軸部４１０ｃに対して回転可能であり、巻真４１０を回転させてもつづみ車４７２が回転しないように構成される。巻真４１０が２段目にあるとき、つづみ車４７２の連動角穴が巻真４１０の第１角部４１０ｂと嵌め合い、巻真４１０の回転に基づいてつづみ車４７２が回転するように構成される。巻真４１０が０段目にあるとき、電池プラス端子６６２の巻真位置決め部６６２ｆは、元軸部４１０ｋと、第２そろばん玉部４１０ｊとの間に位置するように構成される。巻真４１０が１段目にあるとき、電池プラス端子６６２の巻真位置決め部６６２ｆは、第１そろばん玉部４１０ｈと、第２そろばん玉部４１０ｊとの間に位置するように構成される。巻真４１０が２段目にあるとき、電池プラス端子６６２の巻真位置決め部６６２ｆは、第１そろばん玉部４１０ｈと、第３軸部４１０ｇとの間に位置するように構成される。したがって、上記構成の切換装置では、電池プラス端子６６２の巻真位置決め部６６２ｆにより、巻真４１０を３つの軸線方向の位置（０段目、１段目、２段目）に位置決めすることができる。
【００２０】
巻真４１０が０段目にあるとき、および、巻真４１０が１段目にあるとき、規正レバー４６８は、巻真４１０の規正作動軸部４１０ｄが規正レバー４６８と接触しないで、五番車４４１の歯車部を規正しないように構成される。巻真４１０が２段目にあるとき、巻真４１０の規正作動軸部４１０ｄが規正レバー４６８と接触して、五番車４４１の歯車部を規正するように構成される。
第一カレンダ修正車５９０が巻真４１０の回転軸線と同一の回転軸線を有するように配置される。巻真４１０が０段目にあるとき、第一カレンダ修正車５９０の連動丸穴が巻真４１０の第３軸部４１０ｇに対して回転可能であり、巻真４１０を回転させても第一カレンダ修正車５９０が回転しないように構成される。巻真４１０が１段目にあるとき、第一カレンダ修正車５９０の連動丸穴が巻真４１０の第２角部４１０ｆと嵌め合い、巻真４１０の回転に基づいて第一カレンダ修正車５９０が回転するように構成される。巻真４１０が２段目にあるとき、第一カレンダ修正車５９０の連動丸穴が巻真４１０の第２軸部４１０ｅに対して回転可能であり、巻真４１０を回転させても第一カレンダ修正車５９０が回転しないように構成される。
日の裏車４４８の日の裏歯車４４８ａは、小鉄車４４９と噛み合うように配置される。小鉄車４４９は、地板４０２と輪列受４５８との間に配置される。日の裏車４４８の日の裏かな（図示せず）は、地板４０２の文字板側に位置し、筒車４８０の筒歯車４８０ａと噛み合うように構成される。筒車４８０の穴部は、中心パイプ４０２ｃの軸部分の外周部に回転可能に支持される。
【００２１】
（１・５）第一日車送り機構の構成
以下に、第一日車送り機構の構成について説明する。図１〜図４および図１８を参照すると、ムーブメント４００において、日送り機構は、日回し車５１０と、第一日ジャンパ５１４とを含む。日回し車５１０は、日回し歯車５１０ｃと、日回し爪５１０ｄとを含む。筒車４８０の日送り歯車４８０ｂは、日回し歯車５１０ｃと噛み合う。筒車４８０が回転することにより、日回し車５１０が２４時間で１回転するように構成される。第一日車５５２が地板４０２に回転可能に組み込まれる。第一日ジャンパ５１４は地板４０２に組み込まれる。第一日ジャンパ５１４は、ばね部５１４ｂと、ばね部の先端に設けられた規正部５１４ｃ、５１４ｄとを含む。第一日ジャンパ５１４の規正部５１４ｃ、５１４ｄは第一日車５５２の歯部を規正する。日回し車５１０が回転することにより、第一日車５５２が、１日に１度、１ピッチ（１歯）分だけ回転するように構成される。
【００２２】
（１・６）カレンダ機構の構成
（１・６・１）第一日車、第二日車の構成
以下に、本発明のカレンダ機構付き時計のカレンダ機構の構成について説明する。図４は、本発明のカレンダ機構付き時計において、第一日車５５２を正方向（反時計回り方向）に回転させようとしている状態における、文字板側から見たムーブメント４００の裏側の構造を示す部分平面図である。図３、図４および図１８を参照すると、ムーブメント４００は、筒車４８０の回転により回転する日回し車５１０と、日付のうちの一の位を表示する第一日車５５２と、第一日車５５２の回転方向の位置を規正するための第一日ジャンパ５１４と、日付のうちの十の位を表示する第二日車５６２と、第二日車５６２の回転方向の位置を規正するための第二日ジャンパ５２４と、第一日車５５２の回転に基づいて回転して第二日車５６２を回転させることができる日中間車５３０とを備える。第一日車５５２は地板４０２に対して回転可能に設けられる。第二日車５６２は筒車４８０に対して回転可能に設けられる。第一日車５５２の回転中心と、第二日車５６２の回転中心は同一の位置にある。すなわち、第一日車５５２の回転中心と、第二日車５６２の回転中心は、時針４６４の回転中心（すなわち、筒車４８０の回転中心）と同じ位置に配置される。日中間車５３０は、日車押え５０２に固定された日中間車ピン５３４に対して回転可能に設けられる。第一日ジャンパ５１４の規正部５１４ｃ、５１４ｄが第一日車５５２の歯部を規正する。
【００２３】
図５を参照すると、文字板４０４の１２時位置に日窓４０４ｆが形成される構成の場合、第一日車５１２はリング形状の第一日文字表示面５１２ｆを備える。第一日車５１２は、内歯として形成された３１個の第一日車歯部５１６と、内歯として形成された４個のカレンダ桁送り歯５１８とを含む。第一日車歯部５１６は、等しい角度の間隔、すなわち（３６０／３１）度の間隔で形成される。カレンダ桁送り歯５１８は、基準となる第１カレンダ桁送り歯５１８ａと、第１カレンダ桁送り歯５１８ａを基準として時計回り方向に（３６０＊２／３１）度の間隔で形成された第２カレンダ桁送り歯５１８ｂと、第２カレンダ桁送り歯５１８ｂを基準として時計回り方向に（３６０＊９／３１）度の間隔で形成された第３カレンダ桁送り歯５１８ｃと、第１カレンダ桁送り歯５１８ａを基準として反時計回り方向に（３６０＊１０／３１）度の間隔で形成された第４カレンダ桁送り歯５１８ｄとからなる。
【００２４】
３１個の数字からなる第一日文字５１２ｈが第一日文字表示面５１２ｆに設けられる。第一日文字５１２ｈは、４組の数字を含む。すなわち、第一日文字５１２ｈは、第１組の第一日文字を構成する「１」から「９」および「０」の数字と、第２組の第一日文字を構成する「１」から「９」および「０」の数字と、第３組の第一日文字を構成する「１」から「９」および「０」の数字と、第４組の第一日文字を構成する「１」の数字とを含む。すなわち、第一日文字５１２ｈは、「１」、「１」、「２」、「３」、「４」、「５」、「６」、「７」、「８」、「９」、「０」、「１」、「２」、「３」、「４」、「５」、「６」、「７」、「８」、「９」、「０」、「１」、「２」、「３」、「４」、「５」、「６」、「７」、「８」、「９」、「０」の３１個の数字を含む。第一日文字５１２ｈを構成する３１個の数字は、等しい角度の間隔、すなわち（３６０／３１）度の間隔で第一日文字表示面５１２ｆに配置される。図５に示す状態では、第一日文字５１２ｈのうちの隣接して配置された「０」と「１」とが文字板４０４に設けられた日窓４０４ｆに配置される。切り欠き部５１２ｋが、第一日文字表示面５１２ｆの外周部において、第一日文字５１２ｈのうちの隣接して配置された「１」と「１」との間の位置に対応するように形成される。
【００２５】
図６を参照すると、第二日車５２２は、切り欠きを設けた円盤形状の第二日文字表示面５２２ｆを備える。第二日文字表示面５２２ｆは、（３６０／１２）度の間隔で形成された１２個の台形部分５２２ｊと、（３６０／１２）度の間隔で形成された１２個の切り欠き部５２２ｋとを含む。第二日車５２２は、さらに、外歯として形成された１２個の位置決め歯部５２６と、外歯として形成された１２個の送り歯５２８とを含む。位置決め歯部５２６は、等しい角度の間隔、例えば（３６０／１２）度の間隔で形成される。送り歯５２８は、等しい角度の間隔、例えば（３６０／１２）度の間隔で形成される。
第二日車５２２は、「１」、「２」、「３」、「０」の数字を含む第二日文字表示面５２２ｆ、又は、「１」、「２」、「３」の数字を含む第二日文字表示面５２２ｆを有する。「１」の数字と「２」の数字は、３０度の間隔で第二日文字表示面５２２ｆに配置される。「２」の数字と「３」の数字は、３０度の間隔で第二日文字表示面５２２ｆに配置される。「３」の数字と「０」の数字は、３０度の間隔で第二日文字表示面５２２ｆに配置される。したがって、第二日文字表示面５２２ｆには、「１」の数字と、「２」の数字と、「３」の数字と、「０」の数字が、互いに３０度の間隔をなすように配置される。
第二日文字表示面５２２ｆには、「１」の数字と、「２」の数字と、「３」の数字と、「０」の数字からなる数字の組が３組設けられる。或いは、「０」の数字を設ける代わりに、その位置を「白紙」の部分（すなわち、何の数字も設けられていない無地の部分）とする構成も可能である。図６に示す状態では、第二日文字５２２ｈのうちの「３」が文字板４０４に設けられた日窓４０４ｆの左側の部分に配置される。
【００２６】
第二日文字表示面５２２ｆは、第一日文字表示面５１２ｆよりも文字板４０４に近い位置に配置される。図７を参照すると、本発明のカレンダ機構付き時計のコンプリート５００では、文字板４０４の１２時位置に日窓４０４ｆが形成されている。コンプリート５００において、文字板４０４の日窓４０４ｆの中の左側の部分には、第二日車５２２の第二日文字５２２ｈのうちの「３」が配置され、日窓４０４ｆの中の右側の部分には、第二日車５２２の切り欠き部５２２ｋと、第一日文字５１２ｈのうちの「１」が配置される。したがって、コンプリート５００は「３１」日を表示している。
【００２７】
図８を参照すると、文字板４０４の６時位置に日窓４０４ｇが形成される構成の場合、第一日車５５２はリング形状の第一日文字表示面５５２ｆを備える。第一日車５５２は、内歯として形成された３１個の第一日車歯部５５６と、内歯として形成された４個のカレンダ桁送り歯５５８とを含む。第一日車歯部５５６は、等しい角度の間隔、すなわち（３６０／３１）度の間隔で形成される。カレンダ桁送り歯５５８は、基準となる第１カレンダ桁送り歯５５８ａと、第１カレンダ桁送り歯５５８ａを基準として時計回り方向に（３６０＊２／３１）度の間隔で形成された第２カレンダ桁送り歯５５８ｂと、第２カレンダ桁送り歯５５８ｂを基準として時計回り方向に（３６０＊９／３１）度の間隔で形成された第３カレンダ桁送り歯５５８ｃと、第１カレンダ桁送り歯５５８ａを基準として反時計回り方向に（３６０＊１０／３１）度の間隔で形成された第４カレンダ桁送り歯５５８ｄとからなる。３１個の数字からなる第一日文字５５２ｈが第一日文字表示面５５２ｆに設けられる。第一日文字５５２ｈは、４組の数字を含む。すなわち、第一日文字は、第１組の第一日文字を構成する「１」から「９」および「０」の数字と、第２組の第一日文字を構成する「１」から「９」および「０」の数字と、第３組の第一日文字を構成する「１」から「９」および「０」の数字と、第４組の第一日文字を構成する「１」の数字とを含む。第一日文字５５２ｈを構成する３１個の数字は、等しい角度の間隔、すなわち（３６０／３１）度の間隔で第一日文字表示面５５２ｆに配置される。図８に示す状態では、第一日文字５５２ｈのうちの隣接して配置された「１」と「１」とが文字板４０４に設けられた日窓４０４ｇに配置される。切り欠き部５５２ｋが、第一日文字表示面５５２ｆの外周部において、第一日文字５５２ｈのうちの隣接して配置された「１」と「１」に対して、第一日車５５２の中心と反対の位置にある「７」の位置に対応するように形成される。
【００２８】
図９を参照すると、第二日車５６２は、切り欠きを設けた円盤形状の第二日文字表示面５６２ｆを備える。第二日文字表示面５６２ｆは、（３６０／１２）度の間隔で形成された１２個の台形部分５６２ｊと、（３６０／１２）度の間隔で形成された１２個の切り欠き部５６２ｋとを含む。第二日車５６２は、さらに、外歯として形成された１２個の位置決め歯部５６６と、外歯として形成された１２個の送り歯５６８とを含む。位置決め歯部５６６は、等しい角度の間隔、例えば（３６０／１２）度の間隔で形成される。送り歯５６８は、等しい角度の間隔、例えば（３６０／１２）度の間隔で形成される。
第二日車５６２は、「１」、「２」、「３」、「０」の数字を含む第二日文字表示面５６２ｆ、又は、「１」、「２」、「３」の数字を含む第二日文字表示面５６２ｆを有する。「１」の数字と「２」の数字は、３０度の間隔で第二日文字表示面５６２ｆに配置される。「２」の数字と「３」の数字は、３０度の間隔で第二日文字表示面５６２ｆに配置される。「３」の数字と「０」の数字は、３０度の間隔で第二日文字表示面５６２ｆに配置される。したがって、第二日文字表示面５６２ｆには、「１」の数字と、「２」の数字と、「３」の数字と、「０」の数字が、互いに３０度の間隔をなすように配置される。
第二日文字表示面５６２ｆには、「１」の数字と、「２」の数字と、「３」の数字と、「０」の数字からなる数字の組が３組設けられる。或いは、「０」の数字を設ける代わりに、その位置を「白紙」の部分（すなわち、何の数字も設けられていない無地の部分）とする構成も可能である。図９に示す状態では、第二日文字５６２ｈのうちの「３」が文字板４０４に設けられた日窓４０４ｇの左側の部分に配置される。
【００２９】
図１０を参照すると、本発明のカレンダ機構付き時計のコンプリート５５０では、文字板４０４の６時位置に日窓４０４ｇが形成されている。コンプリート５５０において、文字板４０４の日窓４０４ｇの中の左側の部分には、第二日車５６２の第二日文字５６２ｈのうちの「３」が配置され、日窓４０４ｇの中の右側の部分には、第二日車５６２の切り欠き部５６２ｋと、第一日文字５５２ｈのうちの「１」が配置される。したがって、コンプリート５５０は「３１」日を表示している。
【００３０】
本発明に関連する技術において、図１１を参照すると、文字板４０４の３時位置に日窓４０４ｈが形成される構成の場合、第一日車５７２はリング形状の第一日文字表示面５７２ｆを備える。第一日車５７２は、内歯として形成された３１個の第一日車歯部５７６と、内歯として形成された４個のカレンダ桁送り歯５７８とを含む。第一日車歯部５７６は、等しい角度の間隔、すなわち（３６０／３１）度の間隔で形成される。カレンダ桁送り歯５７８は、基準となる第１カレンダ桁送り歯５７８ａと、第１カレンダ桁送り歯５７８ａを基準として時計回り方向に（３６０＊２／３１）度の間隔で形成された第２カレンダ桁送り歯５７８ｂと、第２カレンダ桁送り歯５７８ｂを基準として時計回り方向に（３６０＊１０／３１）度の間隔で形成された第３カレンダ桁送り歯５７８ｃと、第１カレンダ桁送り歯５７８ａを基準として反時計回り方向に（３６０＊９／３１）度の間隔で形成された第４カレンダ桁送り歯５７８ｄとからなる。３１個の数字からなる第一日文字５７２ｈが第一日文字表示面５７２ｆに設けられる。第一日文字５７２ｈは、４組の数字を含む。すなわち、第一日文字は、第１組の第一日文字を構成する「１」から「９」および「０」の数字と、第２組の第一日文字を構成する「１」から「９」および「０」の数字と、第３組の第一日文字を構成する「１」から「９」および「０」の数字と、第４組の第一日文字を構成する「１」の数字とを含む。第一日文字５７２ｈを構成する３１個の数字は、等しい角度の間隔、すなわち（３６０／３１）度の間隔で第一日文字表示面５７２ｆに配置される。図１１に示す状態では、第一日文字５７２ｈのうちの隣接して配置された２つの「１」のうちの「０」に近い方の「１」が文字板４０４に設けられた日窓４０４ｈの右側の部分に配置される。切り欠き部５７２ｋが、第一日文字表示面５７２ｆの外周部において、第一日文字５７２ｈのうちの隣接して配置された「１」と「１」に対して、反時計回り方向の位置にある「４」の位置に対応するように形成される。
【００３１】
本発明に関連する技術において、図１２を参照すると、第二日車５８２は、円盤形状の第二日文字表示面５８２ｆを備える。第二日文字表示面５８２ｆの外径は、第一日文字表示面５７２ｆの日文字を配置した領域の大きさよりも小さいように構成される。第二日車５８２は、外歯として形成された１２個の位置決め歯部５８６と、外歯として形成された１２個の送り歯５８８とを含む。位置決め歯部５８６は、等しい角度の間隔、例えば（３６０／１２）度の間隔で形成される。送り歯５８８は、等しい角度の間隔、例えば（３６０／１２）度の間隔で形成される。「１」、「２」、「３」、「０」からなる第二日文字５８２ｈが第二日文字表示面５８２ｆに設けられる。「１」の数字と「２」の数字は、３０度の間隔で第二日文字表示面５８２ｆに配置される。「２」の数字と「３」の数字は、３０度の間隔で第二日文字表示面５８２ｆに配置される。「３」の数字と「０」の数字は、３０度の間隔で第二日文字表示面に配置される。したがって、第二日文字表示面５８２ｆには、「１」の数字と、「２」の数字と、「３」の数字と、「０」の数字が、互いに３０度の間隔をなすように配置される。第二日文字表示面５８２ｆには、「１」の数字と、「２」の数字と、「３」の数字と、「０」の数字からなる数字の組が３組設けられる。或いは、「０」の数字を設ける代わりに、その位置を「白紙」の部分（すなわち、何の数字も設けられていない無地の部分）とする構成も可能である。図１２に示す状態では、第二日文字５８２ｈのうちの「３」が文字板４０４に設けられた日窓４０４ｈの左側の部分に配置される。
【００３２】
本発明に関連する技術において、図１３を参照すると、カレンダ機構付き時計のコンプリート５７０では、文字板４０４の３時位置に日窓４０４ｈが形成されている。コンプリート５７０において、文字板４０４の日窓４０４ｈの中の左側の部分には、第二日車５８２の第二日文字５８２ｈのうちの「３」が配置され、日窓４０４ｈの中の右側の部分には、第二日車５８２はなく、第一日文字５７２ｈのうちの「１」が配置される。したがって、コンプリート５７０は「３１」日を表示している。
【００３３】
（１・６・２）第一日車を正方向に回転させようとしている状態
図１４は、本発明のカレンダ機構付き時計において、第一日車５５２を回転させる前の状態（すなわち、日送り前の状態）における、文字板側から見たムーブメント４００の裏側の構造を示す部分平面図である。図１４を参照すると、第二日ジャンパ５２４の規正部５２４ｃ、５２４ｄが、第二日車５６２の位置決め歯部５２６を規正している。日回し車５１０は１個の日回し爪５１０ｄを含む。日回し車５１０は矢印で示す方向（反時計回り方向）に回転することができる。日中間車５３０は外歯として形成された９個の日中間歯５３０ａを含む。第一日車５５２により日窓４０４ｇから表示されている日文字は「１」である。第二日車５６２により日窓４０４ｇから表示されている日文字は「３」である。すなわち、第一日車５５２および第二日車５６２により、日窓４０４ｇから現在の日付、「３１」日を表示している。
【００３４】
（１・６・３）第一日車を正方向に回転させようとしている状態
図１５は、本発明のカレンダ機構付き時計において、第一日車５５２を正方向（反時計回り方向）に回転させようとしている状態（すなわち、日送りを開始した状態）における、文字板側から見たムーブメント４００の裏側の構造を示す部分平面図である。図１５を参照すると、第二日ジャンパ５２４の規正部５２４ｃ、５２４ｄが、第二日車５６２の位置決め歯部５２６を規正している。日回し車５１０が矢印で示す方向（反時計回り方向）に回転することにより、日回し爪５１０ｄは第一日車歯部５１６を送り始め、第一日車５５２を反時計回り方向に回転させる。第一日車５５２により日窓４０４ｇから表示される日文字が「１」から、この「１」に隣接した次の「１」に変わろうとするとき、第一日車５５２が反時計回り方向に回転し、第２カレンダ桁送り歯５５８ｂは日中間歯５３０ａを回転させる。すると、日中間歯５３０ｅが第二日車５６２の送り歯５２８を回転させて、月末に、第二日車５６２を時計回り方向に回転させる。すると、第二日車５６２により日窓４０４ｇから表示される日文字が「３」から「０」（または、「白紙」の状態）に変わろうとする。
【００３５】
（１・６・４）第一日車を正方向に回転させている状態
図１６は、本発明のカレンダ機構付き時計において、第一日車５５２を正方向（反時計回り方向）に回転させている途中の状態で、第一日車５５２が正方向に回転して、第一日車５５２の歯部５１６の先端部と、第一日ジャンパ５１４の規正部５１４ｃと５１４ｄが交差する先端部とが接触している状態における、文字板側から見たムーブメント４００の裏側の構造を示す部分平面図である。図１６を参照すると、日回し車５１０は矢印で示す方向に回転することにより、日回し爪５１０ｄは第一日車歯部５１６を送り続け、第一日車５５２により日窓４０４ｇから表示される日文字が「１」から、この「１」に隣接した次の「１」に変わろうとし、第二日車５６２により日窓４０４ｇから表示される日文字が「３」から「０」（または、「白紙」の状態）に変わろうとする。この第一日車５５２の送り状態の途中で、第一日車５５２の歯部５１６の先端部と、第一日ジャンパ５１４の規正部５１４ｃと５１４ｄが交差する先端部とが接触する状態になる。また、第一日車５５２が矢印で示す方向に回転することにより、第２カレンダ桁送り歯５１８ｂは日中間歯５３０ａを回転させ、日中間歯５３０ｅが送り歯５２８を回転させて、第二日車５６２を反時計回り方向に矢印で示す方向に回転させる。この第二日車５６２の送り状態の途中で、第二日車５６２の位置決め歯部５２６の先端部と、第二日ジャンパ５２４の規正部５２４ｃと５２４ｄが交差する先端部とが接触する状態になる。
【００３６】
（１・６・５）第一日車が正方向に１ピッチ回転した状態
図１７は、本発明のカレンダ機構付き時計において、第一日車５５２が正方向（反時計回り方向）に１ピッチ（第一日車の１歯分、すなわち、（３６０／３１）度だけ）回転した状態における、文字板側から見たムーブメント４００の裏側の構造を示す部分平面図である。図１７を参照すると、図１６に示す状態からさらに日回し車５１０が矢印で示す方向に回転して、日回し爪５１０ｄが第一日車５５２を矢印で示す方向に回転させると、第一日ジャンパ５１４の弾性力により、第一日車５５２は、図１５に示す状態から反時計回り方向に（３６０／３１）度回転した位置に位置決めされる。また、第二日ジャンパ５２４の弾性力により、第二日車５６２は、図１５に示す状態から時計回り方向に３０度回転した位置に位置決めされる。その結果、第二日車５６２の表示が「３」から「０」（または、「白紙」の状態）に変わり、かつ、第一日車５５２の表示が「１」から隣接する次の「１」に変わる。すなわち、図１７に示す状態では、カレンダ機構付き時計の文字板の日窓４０４ｇには、第二日車５６２の表示が「０」（または、「白紙」の状態）で、第一日車５５２の表示が「１」である「１日」が表示される。
【００３７】
（１・６・６）カレンダ修正機構の構成
図１、図１４、図１９を参照すると、ムーブメント４００において、カレンダ修正機構は、第一カレンダ修正車５９０と、第二カレンダ修正車５９１と、カレンダ修正車５９２と、カレンダ修正車ばね５９３とを含む。カレンダ修正車ばね５９３は、日車押え５０２と一体に形成することができる。カレンダ修正車ばね５９３は、カレンダ修正車５９２を地板４０２に向かって加圧するように構成される。カレンダ修正車５９２は、地板４０２に設けられた案内穴にそって揺動できるように構成される。巻真４１０が１段目にある状態において、第一カレンダ修正車５９０の連動穴が巻真４１０の第２角部４１０ｆと嵌め合い、巻真４１０の回転に基づいて第一カレンダ修正車５９０が回転するように構成される。この状態で、巻真４１０を第１の方向に回転させると、第一カレンダ修正車５９０の回転に基づいて、第二カレンダ修正車５９１が回転するように構成される。第二カレンダ修正車５９１の回転に基づいて、カレンダ修正車５９２が、第一日車５５２の第一日車歯部５１６と噛合う位置まで揺動して停止し、その修正位置でカレンダ修正車５９２は回転するように構成される。カレンダ修正車５９２が前記修正位置で回転すると、第一日車５５２を反時計回り方向に回転させることができるように構成される。巻真４１０を１段目に引き出した状態で、巻真４１０を第１の方向に回転させると、カレンダ修正車５９２が回転し、第一日車５５２により日窓４０４ｇから表示される日文字が「１」から隣接する次の「１」に変わるとき、第一日車５５２が時計回り方向に回転することにより、第２カレンダ桁送り歯５５８ｂは日中間歯５３０ａを回転させ、日中間歯５３０ｅが送り歯５２８を回転させて、第二日車５６２を時計回り方向に回転させることができる。
【００３８】
（１・７）本発明のカレンダ機構付き時計の実施の形態の作動
（１・７・１）通常運針の作動
次に、本発明のカレンダ機構付き時計の通常運針の作動について説明する。図１〜図３、図１８を参照すると、電池４４０が時計の動力源を構成する。水晶ユニット６５０に収容された水晶振動子が、例えば、３２，７６８ヘルツで発振する。この水晶振動子の振動に基づいて、集積回路６５４に内蔵されている発振部６０２が基準信号を出力し、分周制御部６０４が発振部６０２の出力信号を分周する。モータ駆動部６０６が分周制御部６０４の出力信号に基づいて、ステップモータを駆動するモータ駆動信号をコイルブロック６３０に出力する。コイルブロック６３０がモータ駆動信号を入力すると、ステータ６３２が磁化して、ロータ６３４を回転させる。ロータ６３４は、例えば、１秒ごとに１８０度回転する。ロータ６３４の回転に基づいて、五番車４４１の回転を介して四番車４４２が回転する。四番車４４２は１分間に１回転する。四番車４４２に取付けられた秒針４６０により、時刻情報のうちの「秒」を表示する。
三番車４４４が四番車４４２の回転に基づいて回転する。二番車４４６が三番車４４４の回転に基づいて回転する。二番車４４６の代わりに分車を用いてもよい。二番車４４６は１時間に１回転する。二番車４４６に取付けられた分針４６２により、時刻情報のうちの「分」を表示する。スリップ機構が二番車４４６に設けられる。スリップ機構により、針合わせをするときに、規正レバー４６８により五番車４４２の歯車部を規正して秒針４６０を停止させた状態で、巻真４１０を回転させることにより、分針４６２及び時針４６４を回転させることができる。日の裏車４４８が二番車４４６の回転に基づいて回転する。筒車４８０が日の裏車４４８の回転に基づいて回転する。筒車４８０は１２時間に１回転する。筒車４８０に取付けられた時針４６４により、時刻情報のうちの「時」を表示する。
【００３９】
（１・７・２）カレンダ送りの作動
次に、本発明のカレンダ機構付き時計のカレンダ送りの作用について説明する。図１〜図４、図１４、図１８を参照すると、日回し車５１０は、筒車４８０の回転に基づいて回転する。日回し車５１０が回転することにより、日回し車５１０の日回し爪５１０ｄは第一日車５５２を回転させる。図１５を参照すると、日回し車５１０が矢印で示す方向（反時計回り方向）に回転することにより、日回し爪５１０ｄは第一日車歯部５１６を送り、１日に１度、第一日車５５２を時計回り方向に回転させる。
第一日車５５２と第二日車５６２による日付の表示が「９日」から「１０日」になるとき、第一日車５５２により日窓４０４ｇから表示される日文字は「９」から「０」（または、「白紙」の状態）に変わる。同時に第一日車５５２が反時計回り方向に回転することにより、第３カレンダ桁送り歯５５８ｃは、日中間車５３０の歯部５３０ａを押すことにより日中間車５３０を回転させ、さらに日中間歯５３０ｅが送り歯５２８を回転させて第二日車５６２を時計回り方向に回転させ、第二日車５６２により日窓４０４ｇから表示される日文字は「０」から「１」（または、「白紙」の状態から「１」）に変わる。
第一日車５５２と第二日車５６２による日付の表示が「１９日」から「２０日」になるとき、第一日車５５２により日窓４０４ｇから表示される日文字は「９」から「０」（または、「白紙」の状態）に変わる。同時に、第一日車５５２が反時計回り方向に回転することにより、第４カレンダ桁送り歯５５８ｄは、日中間車５３０の歯部５３０ａを押すことにより日中間車５３０を回転させ、さらに日中間歯５３０ｅが送り歯５２８を回転させて、第二日車５６２を時計回り方向に回転させ、第二日車５６２により日窓４０４ｇから表示される日文字は「１」から「２」に変わる。
【００４０】
第一日車５５２と第二日車５６２による日付の表示が「２９日」から「３０日」になるとき、第一日車５５２により日窓４０４ｇから表示される日文字は「９」から「０」（または、「白紙」の状態）に変わる。同時に、第一日車５５２が反時計回り方向に回転することにより、第１カレンダ桁送り歯５５８ａは、日中間車５３０の歯部５３０ａを押すことにより日中間車５３０を回転させ、さらに日中間歯５３０ｅが送り歯５２８を回転させて、第二日車５６２を時計回り方向に回転させ、第二日車５６２により日窓４０４ｇから表示される日文字は「２」から「３」に変わる。
第一日車５５２と第二日車５６２による日付の表示が「３１日」から「１日」になるとき、第一日車５５２により日窓４０４ｇから表示される日文字は「１」から隣接する次の「１」に変わる。同時に、第一日車５５２が反時計回り方向に回転することにより、第２カレンダ桁送り歯５５８ｂは、日中間車５３０の歯部５３０ａを押すことにより日中間車５３０を回転させ、さらに日中間歯５３０ｅが送り歯５２８を回転させて、第二日車５６２を時計回り方向に回転させ、第二日車５６２により日窓４０４ｇから表示される日文字は「３」から「０」（または、「白紙」の状態）に変わる。
以上に説明した「日」（すなわち、「９日」から「１０日」になるとき、「１９日」から「２０日」になるとき、「２９日」から「３０日」になるとき、「３１日」から「１日」になるとき、）以外では、第一日車５５２が回転しても、第二日車５６２は回転しないように構成されている。
【００４１】
図１７を参照すると、図１６に示す状態からさらに日回し車５１０が矢印で示す方向に回転して、日回し爪５１０ｄが第一日車５５２を矢印で示す方向に回転させると、第一日ジャンパ５１４の弾性力により、第一日車５５２は、図１５に示す状態から反時計回り方向に（３６０／３１）度回転した位置に位置決めされる。また、第二日ジャンパ５２４の弾性力により、第二日車５６２は、図１５に示す状態から時計回り方向に３０度回転した位置に位置決めされる。その結果、第二日車５６２の表示が「３」から「０」（または、「白紙」の状態）に変わり、かつ、第一日車５５２の表示が「１」から隣接する次の「１」に変わる。すなわち、図１７に示す状態では、カレンダ機構付き時計の文字板の日窓４０４ｇには、第二日車５６２の表示が「０」（または、「白紙」の状態）で、第一日車５５２の表示が「１」である「１日」が表示される。
【００４２】
（１・７・３）針合わせの作動
次に、本発明のカレンダ機構付き時計において、針合わせを行う場合の作動について説明する。図１〜図３、図１９を参照すると、ムーブメント４００において、巻真４１０が２段目にあるとき、つづみ車４７２の連動角穴が巻真４１０の第１角部４１０ｂと嵌め合い、巻真４１０の回転に基づいて、つづみ車４７２は回転することができる。すなわち、巻真４１０を２段目に引き出した状態で、巻真４１０を回転させると、つづみ車４７２の回転に基づいて小鉄車４４９が回転する。小鉄車４４９の回転に基づいて、日の裏車４４８が回転する。従って、巻真４１０が２段目にあるときに、巻真４１０を回転させることにより、「針合わせ」をすることができる。すなわち、巻真４１０が２段目にあるときに、巻真４１０を回転させることにより、筒車４８０を回転させて、筒車４８０に取付けられた時針４６４が表示する「時」の表示内容を修正し、同時に、二番車４４６を回転させることにより、二番車４４６に取付けられた分針４６２が表示する「分」の表示内容を修正することができる。巻真４１０が２段目にあるときに、規正レバー４６８が五番車４４１を規正する作用により、「時」及び「分」の表示内容を修正している間、五番車４４１および四番車４４２は回転することがなく、「秒」の表示内容は変化しない。
【００４３】
（１・７・４）日修正の作動
次に、本発明のカレンダ機構付き時計において、日修正を行う場合の作動について説明する。図１、図１９を参照すると、ムーブメント４００において、巻真４１０が１段目にあるとき、第一カレンダ修正車５９０の連動丸穴が巻真４１０の第２角部４１０ｆと嵌め合い、巻真４１０の回転に基づいて第一カレンダ修正車５９０は回転することができる。すなわち、巻真４１０を２段目に配置した状態で、巻真４１０を第１の方向に回転させると、第一カレンダ修正車５９０の回転に基づいて、第二カレンダ修正車５９１が回転する。第二カレンダ修正車５９１の回転に基づいて、カレンダ修正車５９２が、第一日車５５２の第一日車歯部５１６と噛合う位置まで揺動して停止し、その修正位置でカレンダ修正車５９２は回転する。カレンダ修正車５９２が前記修正位置で回転すると、第一日車５５２を反時計回り方向に回転させることができる。巻真４１０を１段目に引き出した状態で、巻真４１０を第１の方向に回転させると、カレンダ修正車５９２が回転し、第一日車５５２により日窓４０４ｇから表示される日文字が「９」から「０」（または、「白紙」の状態）に変わるとき、第一日車５５２が時計回り方向に回転することにより、カレンダ桁送り歯５５８ａ、５５８ｃ、５５８ｄは、日中間車５３０の歯部５３０ａを押すことにより日中間車５３０を回転させ、日中間歯５３０ｅが送り歯５２８を回転させて、第二日車５６２を時計回り方向に回転させる。
【００４４】
巻真４１０を１段目に引き出した状態で、巻真４１０を第１の方向に回転させると、カレンダ修正車５９２が回転し、第二日車５６２により日窓４０４ｇから表示される日文字が「３」から「０」（または、「白紙」の状態）に変わり、かつ、第一日車５５２により日窓４０４ｇから表示される日文字が「１」から隣接する次の「１」に変わるとき、第一日車５５２が時計回り方向に回転することにより、第２カレンダ桁送り歯５５８ｂは日中間歯５３０ａを回転させ、日中間歯５３０ｅが送り歯５２８を回転させて、第二日車５６２を時計回り方向に回転させる。従って、巻真４１０が１段目にあるときに、巻真４１０を第１の方向に回転させることにより、「日修正」を行うことができる。巻真４１０が１段目にあるときに、巻真４１０を、第１の方向と反対の方向に回転させても、カレンダ修正車５９２は、第一日車５５２の第一日車歯部５１６と噛合う位置に揺動しないので、「日修正」を行うことはできない。
【００４５】
（２）第２の実施の形態
次に、本発明のカレンダ機構付き時計の第２の実施の形態を説明する。以下の説明は、本発明のカレンダ機構付き時計の第２の実施形態が本発明のカレンダ機構付き時計の第１の実施形態と異なる点を主に述べる。したがって、以下に記載がない個所は、前述した本発明のカレンダ機構付き時計の第１の実施形態についての説明をここに準用する。
【００４６】
図２０および図２１を参照すると、集積回路（図示せず）に内蔵されている発振部６０２が基準信号を出力し、分周制御部６７２が発振部６０２の出力信号を分周する。第一モータ駆動部６７４が分周制御部６７２の出力信号に基づいて、ステップモータを駆動するモータ駆動信号をコイルブロック６３０に出力する。コイルブロック６３０がモータ駆動信号を入力すると、ステータ６３２が磁化して、ロータ６３４を回転させる。第二モータ駆動部６７６が、分周制御部６７２の出力信号に基づいて、第二モータ６７８を駆動する第二モータ駆動信号を第二モータ６７８に出力する。第二モータ６７８は、ステップモータで構成してもよいし、超音波モータで構成してもよいし、或いは、他のタイプのモータで構成してもよい。第二モータ駆動部６７６は、集積回路（図示せず）に内蔵されている。日回し中間車６８０は、第二モータ６７８の作動に基づいて回転する。日回し車６８２は日回し中間車６８０の回転に基づいて回転する。日回し車６８２が回転することにより、日回し車６８２の日回し歯６８２ａは第一日車５１２を回転させる。第二モータ駆動部６７６の出力する信号は、１日につき第一日車５１２を１歯分（１ピッチ）だけ回転させるように出力される。日回し車６８２が回転することにより、日回し車接点ばね（図示せず）が回転する。日回し車接点ばねが回転することにより、第１接点部分（図示せず）が基準電位パターン（図示せず）に接触し、かつ、第２接点部分（図示せず）が接点スイッチパターン（図示せず）と接触する状態になる。この状態では、日回し車６８２の回転信号が日回し車回転信号検出部（図示せず）に出力される。日回し車回転信号検出部は、集積回路に内蔵されている。
【００４７】
日回し車回転信号検出部が日回し車６８２の回転信号を入力すると、日回し車回転信号検出部は第二モータ６７８の作動を制御するために、第二モータ制御信号を第二モータ駆動部６７６に出力する。第二モータ駆動部６７６は、第二モータ制御信号を入力すると、第二モータ駆動信号の出力を停止する。このように構成することにより、第一日車５１２の回転を制御することができる。
【産業上の利用可能性】
【００４８】
本発明のカレンダ機構付き時計は、日付のうちの一の位を表示する第一日車と、日付のうちの十の位を表示する第二日車とを含み、カレンダ機構を修正しなければならない回数を増すことなく、第一日車の回転中心と、第二日車の回転中心を同じ位置に配置することができる。したがって、本発明により、日付表示の位置に自由度があるカレンダ機構付き時計を実現することができる。
【図面の簡単な説明】
【００４９】
【図１】本発明のカレンダ機構付き時計の第１の実施形態において、ムーブメントを文字板側から見たときの構造を示す概略平面図である。
【図２】本発明のカレンダ機構付き時計の第１の実施形態において、ムーブメントを裏蓋側から見たときの構造を示す概略平面図である。
【図３】本発明のカレンダ機構付き時計の第１の実施形態において、表輪列と、カレンダ機構の一部分を示す部分断面図である。
【図４】本発明のカレンダ機構付き時計の第１の実施形態において、ムーブメントを文字板側から見たときのカレンダ機構の一部分を示す拡大部分平面図である。
【図５】本発明のカレンダ機構付き時計の第１の実施形態において、文字板の１２時方向に日窓を配置した構成における第一日車を示す平面図である。
【図６】本発明のカレンダ機構付き時計の第１の実施形態において、文字板の１２時方向に日窓を配置した構成における第二日車を示す平面図である。
【図７】本発明のカレンダ機構付き時計の第１の実施形態において、文字板の１２時方向に日窓を配置した構成におけるコンプリートを示す平面図である。
【図８】本発明のカレンダ機構付き時計の第１の実施形態において、文字板の６時方向に日窓を配置した構成における第一日車を示す平面図である。
【図９】本発明のカレンダ機構付き時計の第１の実施形態において、文字板の６時方向に日窓を配置した構成における第二日車を示す平面図である。
【図１０】本発明のカレンダ機構付き時計の第１の実施形態において、文字板の６時方向に日窓を配置した構成におけるコンプリートを示す平面図である。
【図１１】本発明に関連する技術において、文字板の３時方向に日窓を配置した構成における第一日車を示す平面図である。
【図１２】本発明に関連する技術において、文字板の３時方向に日窓を配置した構成における第二日車を示す平面図である。
【図１３】本発明に関連する技術において、文字板の３時方向に日窓を配置した構成におけるコンプリートを示す平面図である。
【図１４】本発明のカレンダ機構付き時計の第１の実施形態において、第一日車を回転させる前の状態における、文字板側から見たムーブメントの裏側の構造を示す部分平面図である。
【図１５】本発明のカレンダ機構付き時計の第１の実施形態において、第一日車が正方向に回転を開始している状態における、文字板側から見たムーブメントの裏側の構造を示す部分平面図である。
【図１６】本発明のカレンダ機構付き時計の第１の実施形態において、第一日車が正方向に回転しつつある状態における、文字板側から見たムーブメントの裏側の構造を示す部分平面図である。
【図１７】本発明のカレンダ機構付き時計の第１の実施形態において、第一日車が正方向に１ピッチ回転した状態における、文字板側から見たムーブメントの裏側の構造を示す部分平面図である。
【図１８】本発明のカレンダ機構付き時計の第１の実施形態において、駆動回路、表輪列、カレンダ機構などを示すブロック図である。
【図１９】本発明のカレンダ機構付き時計の第１の実施形態において、巻真、小鉄車、二番車の部分を示す部分断面図である。
【図２０】本発明のカレンダ機構付き時計の第２の実施形態において、ムーブメントを文字板側から見たときのカレンダ機構の一部分を示す拡大部分平面図である。
【図２１】本発明のカレンダ機構付き時計の第２の実施形態において、駆動回路、表輪列、カレンダ機構などを示すブロック図である。
【符号の説明】
【００５０】
４００  ムーブメント
４０２  地板
４０４  文字板
４１０  巻真
４４１  五番車
４４２  四番車
４４４  三番車
４４６  二番車
４８０  筒車
５１０  日回し車
５１２  第一日車
５１４  第一日ジャンパ
５２２  第二日車
５２４  第二日ジャンパ
５３０  日中間車
【図１】
0004646016.tif 000002
【図２】
0004646016.tif 000003
【図３】
0004646016.tif 000004
【図４】
0004646016.tif 000005
【図５】
0004646016.tif 000006
【図６】
0004646016.tif 000007
【図７】
0004646016.tif 000008
【図８】
0004646016.tif 000009
【図９】
0004646016.tif 000010
【図１０】
0004646016.tif 000011
【図１１】
0004646016.tif 000012
【図１２】
0004646016.tif 000013
【図１３】
0004646016.tif 000014
【図１４】
0004646016.tif 000015
【図１５】
0004646016.tif 000016
【図１６】
0004646016.tif 000017
【図１７】
0004646016.tif 000018
【図１８】
0004646016.tif 000019
【図１９】
0004646016.tif 000020
【図２０】
0004646016.tif 000021
【図２１】
0004646016.tif 000022